(57)【要約】【課題】電気機器装置において、フレキシブルフラットケーブルが回路基板に実装された電子部品に接触するのを回避する。【解決手段】電気機器装置である光ディスク読取装置１は、段違いに配置された第１の回路基板である中継基板２と第２の回路基板であるメイン基板３とがＦＦＣ（フレキシブルフラットケーブル）４により接続されている。ＦＦＣ４は、３回折り曲げられており、ＦＦＣ４と中継基板２との接続箇所を一端側接続点とし、ＦＦＣ４とメイン基板３との接続箇所を他端側接続点とし、一端側接続点から辿って最初の折り曲げを第１折り曲げとし、一端側接続点から辿って最後の折り曲げを最終折り曲げとし、一端側接続点から第１折り曲げにおける折り目４１に到るまでの部分を第１部分５１とすると、最終折り曲げにおける折り目４３の全体が、第１部分５１における他端側接続点に近い方の側縁５１ａよりも、他端側接続点から離れた位置にある。【選択図】図２
2011086322.tif 000002
【特許請求の範囲】
【請求項１】
第１の回路基板と、前記第１の回路基板と段違いに配置された第２の回路基板と、前記第１の回路基板と前記第２の回路基板とを接続するフレキシブルフラットケーブルとを備え、
前記フレキシブルフラットケーブルは、一端側が前記第１の回路基板に接続されると共に、他端側が前記第２の回路基板に接続され、
前記フレキシブルフラットケーブルの一端側は、前記第１の回路基板の中央部において、前記第１の回路基板と平行な状態で、前記第１の回路基板に接続され、
前記フレキシブルフラットケーブルの他端側は、前記フレキシブルフラットケーブルの一端側の延びている方向と平行でない方向に延びた状態で、前記第２の回路基板に接続される電気機器装置において、
前記フレキシブルフラットケーブルは、
少なくとも２回以上折り曲げられ、
該フレキシブルフラットケーブルの一端側と前記第１の回路基板との接続箇所を一端側接続点とし、該フレキシブルフラットケーブルの他端側と前記第２の回路基板との接続箇所を他端側接続点とし、前記一端側接続点から辿って最初の折り曲げを第１折り曲げとし、前記一端側接続点から辿って最後の折り曲げを最終折り曲げとし、前記一端側接続点から前記第１折り曲げにおける折り目に到るまでの部分を第１部分とすると、
前記最終折り曲げにおける折り目の全体が、前記第１部分における前記他端側接続点に近い方の側縁よりも、前記他端側接続点から離れた位置にある、
ことを特徴とする電気機器装置。
【請求項２】
前記フレキシブルフラットケーブルは、
少なくとも１回、前記他端側接続点に向かう方向と反対方向に折り曲げられ、
前記最終折り曲げにおける折り目から前記他端側接続点に到るまでの部分を最終部分とすると、
前記最終折り曲げにおける折り目が、前記最終部分の延びている方向と垂直である、
ことを特徴とする請求項１に記載の電気機器装置。
【請求項３】
前記フレキシブルフラットケーブルの他端側は、前記フレキシブルフラットケーブルの一端側の延びている方向に対して直角方向に延びた状態で、前記第２の回路基板に接続され、
前記フレキシブルフラットケーブルは、
少なくとも１回、前記他端側接続点に向かう方向と反対方向に折り曲げられ、
前記第１折り曲げにおける折り目から前記最終折り曲げにおける折り目に到るまでの部分を中間部分とし、前記最終折り曲げにおける折り目から前記他端側接続点に到るまでの部分を最終部分とすると、
前記中間部分の全体が、前記第１部分と重なる位置にあり、
前記最終折り曲げにおける折り目が、前記最終部分の延びている方向と垂直であると共に、前記第１部分における前記他端側接続点から遠い方の側縁と重なる位置にある、
ことを特徴とする請求項１に記載の電気機器装置。
【請求項４】
前記フレキシブルフラットケーブルは、
前記最終折り曲げ以外の折り曲げによって折り重なった部分が、両面テープにより接着されている、
ことを特徴とする請求項１に記載の電気機器装置。
【発明の詳細な説明】
【技術分野】
【０００１】
本発明は、段違いに配置された第１の回路基板と第２の回路基板がＦＦＣ（フレキシブルフラットケーブル）により接続された電気機器装置に関するものである。
【背景技術】
【０００２】
従来から、電気機器装置の一種である光ディスク読取装置において、図９、図１０（ａ）（ｂ）に示すものがある。この光ディスク読取装置７０は、第１の回路基板である中継基板７１と第２の回路基板であるメイン基板７２が段違いに配置されており、中継基板７１とメイン基板７２がＦＦＣ（フレキシブルフラットケーブル）７３により接続された構成になっている。中継基板７１とメイン基板７２は、シャーシ７４を間に挟んで段違いに配置されており、ＦＦＣ７３は、シャーシ７４に形成されている開口７４ａを通って、中継基板７１とメイン基板７２とを接続している。
【０００３】
ＦＦＣ７３は、途中で１回折り曲げられており、ＦＦＣ７３の一端側は、中継基板７１の中央部において、中継基板７１と平行な状態で、中継基板７１に接続されており、ＦＦＣ７３の他端側は、ＦＦＣ７３の一端側の延びている方向に対して直角方向に延びた状態で、メイン基板７２に接続されている。ＦＦＣ７３の一端側は、中継基板７１に設けられている接続部８１に半田付けされて、中継基板７１に接続されており、ＦＦＣ７３の他端側は、メイン基板７２に設けられているコネクタ８２に挿入されて、メイン基板７２に接続されている。
【０００４】
シャーシ７４で囲まれた空間には、光ディスク７０ａから記録データを読取るためのディスク駆動ユニット７５が配置され、光ディスク７０ａは、中継基板７１のＦＦＣ７３接続側（メイン基板７２側）と反対側の空間を通って、ディスク駆動ユニット７５に挿入される。
【０００５】
中継基板７１には、ディスク駆動ユニット７５への光ディスク７０ａの挿入を光の投受光により検出するためのＬＥＤ８３及びＰＤ８４（電子部品）が実装されている。ＬＥＤ８３及びＰＤ８４は、中継基板７１のＦＦＣ７３接続側と反対側の面に実装されており、ＬＥＤ８３の端子８３ａ及びＰＤ８４の端子８４ａが中継基板７１のＦＦＣ７３接続側の面に出ている。ＬＥＤ８３は、ＦＦＣ７３の他端側の延びている部分（後述するＦＦＣ７３の最終部分９２）と重なる位置に実装されている。
【０００６】
また、中継基板７１には、光ディスク７０ａの挿入、排出用のローディングモータ８５に電源供給するためのリード線８６が接続されている。リード線８６は、中継基板７１のＦＦＣ７３接続側の面に接続されている。リード線８６は、中継基板７１に設けられているランド８７に半田付けされて、中継基板７１に接続されている。
【０００７】
光ディスク読取装置７０の組立は、以下のようにして行われる。まず、接続部８１及びランド８７を設けると共にＬＥＤ８３及びＰＤ８４を実装した中継基板７１をシャーシ７４に取付け、また、コネクタ８２が設けられたメイン基板７２をシャーシ７４に取付ける。次に、折り曲げた状態のＦＦＣ７３の一端側を中継基板７１の接続部８１に半田付けすることにより、ＦＦＣ７３を中継基板７１に接続し、続いて、リード線８６を中継基板７１のランド８７に半田付けすることにより、リード線８６を中継基板７１に接続する。そして、ＦＦＣ７３の他端側をメイン基板７２のコネクタ８２に挿入することにより、ＦＦＣ７３をメイン基板７２に接続する。光ディスク読取装置７０は、このようにして組立てられる。
【０００８】
一方、２つのＦＦＣ同士が重なって接触しないように、２つのＦＦＣを水平方向に間隔をおいて直角方向に折り曲げて配線した電気機器装置が知られている（例えば特許文献１参照）。また、直線状のＦＦＣを１箇所又は複数個所で折り曲げてＵ字状又はＶ字状にして、その一端側を筐体部に接続すると共に、その他端側を筐体部に収納、引出し可能に保持されたトレイ部に接続した電気機器装置が知られている（例えば特許文献２参照）。また、ＤＶＤ用制御回路基板の機器前方に配置したコネクタと操作ボタン制御回路基板上のコネクタとを、山折り及び谷折りによりＺ状に折り曲げられたＦＦＣによって接続した電気機器装置が知られている（例えば特許文献３参照）。
【先行技術文献】
【特許文献】
【０００９】
【特許文献１】特開２００８−１７１４６５号公報
【特許文献２】特開２００５−２１６３３３号公報
【特許文献３】特開２００５−１３５５３７号公報
【発明の概要】
【発明が解決しようとする課題】
【００１０】
ところで、上述した従来の光ディスク読取装置７０においては、図１０（ａ）（ｂ）に示すように、接続部８１（ＦＦＣ７３の一端側と中継基板７１との接続箇所）から折り目７３ａに到るまでのＦＦＣ７３の部分を第１部分９１とし、折り目７３ａからコネクタ８２（ＦＦＣ７３の他端側とメイン基板７２との接続箇所）に到るまでのＦＣＣ７３の部分を最終部分９２とすると、最終部分９２における接続部８１から遠い方の側縁９２ａは、第１部分９１におけるコネクタ８２に近い方の側縁９１ａから立上り、最終部分９２における接続部８１に近い方の側縁９２ｂは、第１部分９１におけるコネクタ８２から遠い方の側縁９１ｂから立上る。
【００１１】
このため、中継基板７１とＦＦＣ７３の最終部分９２（特に、最終部分９２の側縁９２ａ）との間隔が狭く、ＦＦＣ７３を中継基板７１に接続するときや、ＦＦＣ７３をメイン基板７２に接続するときに、ＦＦＣ７３の最終部分９２がＬＥＤ８３の端子８３ａと接触して、ＦＦＣ７３が傷づく可能性がある。また、ＦＦＣ７３を中継基板７１及びメイン基板７２に接続した後においても、何らかの物体（組立作業者の指や工具など）がＦＦＣ７３に触れてしまうと、同様に、ＦＦＣ７３の最終部分９２がＬＥＤ８３の端子８３ａと接触して、ＦＦＣ７３が傷つく可能性がある。なお、上述した特許文献１乃至特許文献３に開示の内容を適用したとしても、上記の問題を解決することはできない。
【００１２】
本発明は、上記課題を解決するためになされたものであり、フレキシブルフラットケーブルが回路基板に実装された電子部品に接触するのを回避することができる電気機器装置を提供することを目的とする。
【課題を解決するための手段】
【００１３】
上記目的を達成するために請求項１の発明は、第１の回路基板と、第１の回路基板と段違いに配置された第２の回路基板と、第１の回路基板と第２の回路基板とを接続するフレキシブルフラットケーブルとを備え、フレキシブルフラットケーブルは、一端側が第１の回路基板に接続されると共に、他端側が第２の回路基板に接続され、フレキシブルフラットケーブルの一端側は、第１の回路基板の中央部において、第１の回路基板と平行な状態で、第１の回路基板に接続され、フレキシブルフラットケーブルの他端側は、フレキシブルフラットケーブルの一端側の延びている方向と平行でない方向に延びた状態で、第２の回路基板に接続される電気機器装置において、フレキシブルフラットケーブルは、少なくとも２回以上折り曲げられ、該フレキシブルフラットケーブルの一端側と第１の回路基板との接続箇所を一端側接続点とし、該フレキシブルフラットケーブルの他端側と第２の回路基板との接続箇所を他端側接続点とし、一端側接続点から辿って最初の折り曲げを第１折り曲げとし、一端側接続点から辿って最後の折り曲げを最終折り曲げとし、一端側接続点から第１折り曲げにおける折り目に到るまでの部分を第１部分とすると、最終折り曲げにおける折り目の全体が、第１部分における他端側接続点に近い方の側縁よりも、他端側接続点から離れた位置にあるものである。
【００１４】
請求項２の発明は、請求項１に記載の電気機器装置において、フレキシブルフラットケーブルは、少なくとも１回、他端側接続点に向かう方向と反対方向に折り曲げられ、最終折り曲げにおける折り目から他端側接続点に到るまでの部分を最終部分とすると、最終折り曲げにおける折り目が、最終部分の延びている方向と垂直であるものである。
【００１５】
請求項３の発明は、請求項１に記載の電気機器装置において、フレキシブルフラットケーブルの他端側は、フレキシブルフラットケーブルの一端側の延びている方向に対して直角方向に延びた状態で、第２の回路基板に接続され、フレキシブルフラットケーブルは、少なくとも１回、他端側接続点に向かう方向と反対方向に折り曲げられ、第１折り曲げにおける折り目から最終折り曲げにおける折り目に到るまでの部分を中間部分とし、最終折り曲げにおける折り目から他端側接続点に到るまでの部分を最終部分とすると、中間部分の全体が、第１部分と重なる位置にあり、最終折り曲げにおける折り目が、最終部分の延びている方向と垂直であると共に、第１部分における他端側接続点から遠い方の側縁と重なる位置にあるものである。
【００１６】
請求項４の発明は、請求項１に記載の電気機器装置において、フレキシブルフラットケーブルは、最終折り曲げ以外の折り曲げによって折り重なった部分が、両面テープにより接着されているものである。
【発明の効果】
【００１７】
請求項１及び請求項２の発明によれば、フレキシブルフラットケーブルの最終部分の両側縁及び両側縁間の全ての箇所は、第１部分における他端側接続点に近い方の側縁よりも、他端側接続点から離れた位置から立ち上がる。従って、従来の構成と比較して、第１の回路基板とフレキシブルフラットケーブルの最終部分との間隔が広くなり、フレキシブルフラットケーブルの最終部分が第１の回路基板に実装された電子部品に接触するのを回避することができ、フレキシブルフラットケーブルが傷つくのを防止することができる。
【００１８】
請求項３の発明によれば、フレキシブルフラットケーブルの中間部分は、第１部分における両側縁間よりも外側の位置には存在せず、フレキシブルフラットケーブルの最終部分も、第１部分における他端側接続点から遠い方の側縁よりも、他端側接続点から離れた位置には存在しない。従って、フレキシブルフラットケーブルと第１の回路基板とが重なる面積を小さくすることができ、フレキシブルフラットケーブルの最終部分が第１の回路基板に実装された電子部品に接触するのを回避しつつ、第１の回路基板への電子部品の実装面積を広く確保することができる。
【００１９】
請求項４の発明によれば、フレキシブルフラットケーブルの折り重なった部分が浮き上がらない。従って、第１の回路基板に電子部品やリード線を半田付けするときに、フレキシブルフラットケーブルが邪魔にならず、半田付け工具がフレキシブルフラットケーブルに接触してフレキシブルフラットケーブルが傷つくのを防止することができる。
【図面の簡単な説明】
【００２０】
【図１】本発明の一実施形態に係る光ディスク読取装置の概略構成を示す斜視図。
【図２】（ａ）は同光ディスク読取装置の部分拡大した側面図、（ｂ）は（ａ）のＡ−Ａ線断面図。
【図３】（ａ）は同光ディスク読取装置のフレキシブルフラットケーブルの折り曲げ構造を示す部分拡大した斜視図、（ｂ）は（ａ）の展開図。
【図４】（ａ）は同光ディスク読取装置のフレキシブルフラットケーブルの別の折り曲げ構造を示す部分拡大した斜視図、（ｂ）は（ａ）の展開図。
【図５】（ａ）は同光ディスク読取装置のフレキシブルフラットケーブルのさらに別の折り曲げ構造を示す部分拡大した斜視図、（ｂ）は（ａ）の展開図。
【図６】（ａ）は同光ディスク読取装置のフレキシブルフラットケーブルのさらに別の折り曲げ構造を示す部分拡大した斜視図、（ｂ）は（ａ）の展開図。
【図７】（ａ）は同光ディスク読取装置のフレキシブルフラットケーブルのさらに別の折り曲げ構造を示す部分拡大した斜視図、（ｂ）は（ａ）の展開図。
【図８】（ａ）は同光ディスク読取装置のフレキシブルフラットケーブルのさらに別の折り曲げ構造を示す部分拡大した斜視図、（ｂ）は（ａ）の展開図。
【図９】従来の光ディスク読取装置の斜視図。
【図１０】（ａ）は従来の光ディスク読取装置の部分拡大した側面図、（ｂ）は（ａ）のＢ−Ｂ線断面図。
【発明を実施するための形態】
【００２１】
以下、本発明を具体化した実施形態による電気機器装置について図面を参照して説明する。図１、図２（ａ）（ｂ）は、本実施形態による電気機器装置である光ディスク読取装置の構成を示し、図３（ａ）（ｂ）は、この光ディスク読取装置のフレキシブルフラットケーブルの折り曲げ構造を示す。なお、図３（ａ）はフレキシブルフラットケーブルを折り曲げた状態を示しており、図３（ｂ）はフレキシブルフラットケーブルを展開した状態を示している。
【００２２】
光ディスク読取装置１は、第１の回路基板である中継基板２と、中継基板２と段違いに配置された第２の回路基板であるメイン基板３と、中継基板２とメイン基板３とを接続するＦＦＣ（フレキシブルフラットケーブル）４とを備えている。すなわち、光ディスク読取装置１は、段違いに配置された中継基板２とメイン基板３とがＦＦＣ４により接続された構成になっている。
【００２３】
中継基板２は、シャーシ５により隔てられた空間の一方の側に配置されており、メイン基板３は、シャーシ５により隔てられた空間の他方の側に配置されている。すなわち、中継基板２とメイン基板３は、シャーシ５を間に挟んで、互いに段違いに配置されている。また、中継基板２とメイン基板３は、互いに平行に配置されている。
【００２４】
ＦＦＣ４は、シャーシ５に形成されている開口５ａを通って、中継基板２とメイン基板３とを接続しており、一端側が中継基板２に接続されていると共に、他端側がメイン基板３に接続されている。ＦＦＣ４は、途中で折り曲げられている。ＦＦＣ４の一端側は、中継基板２のメイン基板３側の面の中央部において、中継基板２と平行な状態で、中継基板２に接続されている。ＦＦＣ４の他端側は、メイン基板３の中継基板２側と反対側の面の周辺部において、ＦＦＣ４の一端側の延びている方向と平行でない方向（本実施形態では、ＦＦＣ４の一端側の延びている方向に対して直角方向）に延びた状態で、メイン基板３に接続されている。ＦＦＣ４の一端側は、中継基板２に設けられている接続部２１に半田付けされて、中継基板２に接続されており、ＦＦＣ４の他端側は、メイン基板３に設けられているコネクタ３１に挿入されて、メイン基板３に接続されている。ＦＦＣ４の折り曲げ構造の詳細については後述する。
【００２５】
シャーシ５で囲まれた空間には、光ディスク１ａから記録データを読取るためのディスク駆動ユニット６が配置され、光ディスク１ａは、中継基板２のＦＦＣ４接続側（メイン基板３側）と反対側の空間を通って、ディスク駆動ユニット６に挿入される。
【００２６】
中継基板２には、ディスク駆動ユニット６への光ディスク１ａの挿入を光の投受光により検出するためのＬＥＤ２２及びＰＤ２３（電子部品）が実装されている。ＬＥＤ２２及びＰＤ２３は、中継基板２のＦＦＣ４接続側と反対側の面に実装されており、ＬＥＤ２２の端子２２ａ及びＰＤ２３の端子２３ａが中継基板２のＦＦＣ４接続側の面に出ている。ＬＥＤ２２は、ＦＦＣ４の他端側の延びている部分（後述するＦＦＣ４の最終部分５３）と重なる位置に実装されている。
【００２７】
また、中継基板２には、光ディスク１ａの挿入、排出用のローディングモータ２４に電源供給するためのリード線２５が接続されている。リード線２５は、中継基板２のＦＦＣ４接続側の面に接続されている。リード線２５は、中継基板２に設けられているランド２６に半田付けされて、中継基板２に接続されている。
【００２８】
次に、ＦＦＣ４の折り曲げ構造について説明する。ＦＦＣ４は、一端側の延びている方向に対して直角方向に他端側が延びた状態で、一端側が中継基板２の接続部２１に接続されると共に他端側がメイン基板３のコネクタ３１に接続され得るように、途中で３回折り曲げられている。
【００２９】
ここで、ＦＦＣ４の一端側と中継基板２との接続箇所を一端側接続点とし、ＦＦＣ４の他端側とメイン基板３との接続箇所を他端側接続点とする。また、一端側接続点から辿って最初の折り曲げを第１折り曲げとし、一端側接続点から辿って２番目の折り曲げ（第１折り曲げの次の折り曲げ）を第２折り曲げとし、一端側接続点から辿って最後の折り曲げを最終折り曲げとする。
【００３０】
そして、図２（ａ）（ｂ）、図３（ａ）（ｂ）に示すように、一端側接続点から第１折り曲げにおける折り目４１に到るまでの部分を第１部分５１とし、第１折り曲げにおける折り目４１から最終折り曲げにおける折り目４３に到るまでの部分を中間部分５２（第１折り曲げにおける折り目４１から第２折り曲げにおける折り目４２に到るまでの部分を中間部分５２−１、第２折り曲げにおける折り目４２から最終折り曲げにおける折り目４３に到るまでの部分を中間部分５２−２）とし、最終折り曲げにおける折り目４３から他端側接続点に到るまでの部分を最終部分５３とする。
【００３１】
ＦＦＣ４は、最終折り曲げにおける折り目４３の全体が、第１部分５１における他端側接続点に近い方（メイン基板３のコネクタ３１に近い方）の側縁５１ａよりも、他端側接続点から離れた位置（メイン基板３のコネクタ３１から離れた位置）にあるように、折り曲げられている。
【００３２】
しかも、ＦＦＣ４は、１回（第２折り曲げにおいて）、他端側接続点に向かう方向（メイン基板３のコネクタ３１に向かう方向）と反対方向に折り曲げられており、最終折り曲げにおける折り目４３が、最終部分５３の延びている方向と垂直であると共に、第１部分５１における他端側接続点から遠い方（メイン基板３のコネクタ３１から遠い方）の側縁５１ｂと重なる位置にあるように、折り曲げられている。さらに、ＦＦＣ４は、中間部分５２（５２−１、５２−２）の全体が、第１部分５１と重なる位置にあるように折り曲げられている。
【００３３】
また、ＦＦＣ４は、最終折り曲げ以外の折り曲げによって折り重なった部分が、両面テープ６０により接着されている。本実施形態では、第１折り曲げによって折り重なった部分（第１部分５１の一部と中間部分５２−１）が両面テープ６０により接着されている。
【００３４】
次に、光ディスク読取装置１の組立方法について説明する。光ディスク読取装置１の組立は、以下のようにして行われる。まず、接続部２１及びランド２６を設けると共にＬＥＤ２２及びＰＤ２３を実装した中継基板２をシャーシ５に取付け、また、コネクタ３１が設けられたメイン基板３をシャーシ５に取付ける。次に、折り曲げた状態のＦＦＣ４の一端側を中継基板２の接続部２１に半田付けすることにより、ＦＦＣ４を中継基板２に接続し、続いて、リード線２５を中継基板２のランド２６に半田付けすることにより、リード線２５を中継基板２に接続する。そして、ＦＦＣ４の他端側をメイン基板３のコネクタ３１に挿入することにより、ＦＦＣ４をメイン基板３に接続する。光ディスク読取装置１は、このようにして組立てられる。
【００３５】
このような構成の光ディスク読取装置１によれば、ＦＦＣ４の最終折り曲げにおける折り目４３の全体は、ＦＦＣ４の第１部分５１における他端側接続点に近い方の側縁５１ａよりも、他端側接続点から離れた位置にある。すなわち、ＦＦＣ４の最終部分５３の両側縁５３ａ、５３ｂ（接続部２１から遠い方の側縁５３ａ、接続部２１に近い方の側縁５３ｂ）及び両側縁５３ａ、５３ｂ間の全ての箇所は、第１部分５１における他端側接続点に近い方の側縁５１ａよりも、他端側接続点から離れた位置から立ち上がる。従って、従来の構成と比較して、中継基板２とＦＦＣ４の最終部分５３との間隔が広くなり、ＦＦＣ４の最終部分５３が中継基板２に実装された（ＦＦＣ４の最終部分５３と重なる位置に実装された）電子部品であるＬＥＤ２２の端子２２ａに接触するのを回避することができ、ＦＦＣ４が傷つくのを防止することができる。
【００３６】
しかも、ＦＦＣ４の中間部分５２の全体は、ＦＦＣ４の第１部分５１と重なる位置にあり、最終折り曲げにおける折り目４３は、ＦＦＣ４の最終部分５３の延びている方向と垂直であると共に、ＦＦＣ４の第１部分５１における他端側接続点から遠い方の側縁５１ｂと重なる位置にある。すなわち、ＦＦＣ４の中間部分５２は、ＦＦＣ４の第１部分５１における両側縁５１ａ、５１ｂ間よりも外側の位置には存在せず、ＦＦＣ４の最終部分５３も、ＦＦＣ４の第１部分５１における他端側接続点から遠い方の側縁５１ｂよりも、他端側接続点から離れた位置には存在しない。従って、ＦＦＣ４と中継基板２とが重なる面積を小さくすることができ、ＦＦＣ４の最終部分５３が中継基板２に実装されたＬＥＤ２２の端子２２ａに接触するのを回避しつつ、中継基板２への他の電子部品（ＬＥＤ２２以外の電子部品）の実装面積を広く確保することができる。
【００３７】
また、ＦＦＣ４の第１折り曲げによって折り重なった部分（第１部分５１の一部と中間部分５２−１）は、両面テープ６０により接着されている。これにより、ＦＦＣ４の折り重なった部分が浮き上がらない。従って、中継基板２にリード線２５を半田付けするときに、ＦＦＣ４が邪魔にならず、半田付け工具がＦＦＣ４に接触してＦＦＣ４が傷つくのを防止することができる。
【００３８】
図４（ａ）（ｂ）は、ＦＦＣ４の別の折り曲げ構造を示す。なお、図４（ａ）はＦＦＣ４を折り曲げた状態を示しており、図４（ｂ）はＦＦＣ４を展開した状態を示している。
【００３９】
図４（ａ）（ｂ）に示すＦＦＣ４は、上記実施形態と同様に、一端側の延びている方向に対して直角方向に他端側が延びた状態で、一端側が中継基板２の接続部２１に接続されると共に他端側がメイン基板３のコネクタ３１に接続され得るように、折り曲げられている。また、上記実施形態と同様に、最終折り曲げにおける折り目４３の全体が、第１部分５１における他端側接続点に近い方の側縁５１ａよりも、他端側接続点から離れた位置にあり、しかも、最終折り曲げにおける折り目４３が、最終部分５３の延びている方向と垂直であると共に、第１部分５１における他端側接続点から遠い方の側縁５１ｂと重なる位置にあり、さらに、中間部分５２の全体が、第１部分５１と重なる位置にあるように、折り曲げられている。また、上記実施形態と同様に、途中で３回折り曲げられている。
【００４０】
但し、図４（ａ）（ｂ）に示すＦＦＣ４は、折り曲げ方が上記実施形態と異なっている。すなわち、図４（ａ）（ｂ）に示すＦＦＣ４は、第１折り曲げにおける折り目４１、及び第２折り曲げにおける折り目４２が上記実施形態と異なっており、第１部分５１に対する中間部分５２−１の折り曲げ角度、及び中間部分５２−１に対する中間部分５２−２の折り曲げ角度が上記実施形態と異なっている。ＦＦＣ４は、このように折り曲げられていてもよい。
【００４１】
図５（ａ）（ｂ）は、ＦＦＣ４のさらに別の折り曲げ構造を示す。なお、図５（ａ）はＦＦＣ４を折り曲げた状態を示しており、図５（ｂ）はＦＦＣ４を展開した状態を示している。
【００４２】
図５（ａ）（ｂ）に示すＦＦＣ４は、上記実施形態と同様に、一端側の延びている方向に対して直角方向に他端側が延びた状態で、一端側が中継基板２の接続部２１に接続されると共に他端側がメイン基板３のコネクタ３１に接続され得るように、折り曲げられている。また、上記実施形態と同様に、最終折り曲げにおける折り目４３の全体が、第１部分５１における他端側接続点に近い方の側縁５１ａよりも、他端側接続点から離れた位置にあり、しかも、最終折り曲げにおける折り目４３が、最終部分５３の延びている方向と垂直であると共に、第１部分５１における他端側接続点から遠い方の側縁５１ｂと重なる位置にあり、さらに、中間部分５２の全体が、第１部分５１と重なる位置にあるように、折り曲げられている。
【００４３】
但し、図５（ａ）（ｂ）に示すＦＦＣ４は、折り曲げ方が上記実施形態と異なっている。すなわち、図５（ａ）（ｂ）に示すＦＦＣ４は、折り曲げ回数が上記実施形態と異なっており、途中で２回折り曲げられている。ＦＦＣ４の折り曲げは、第１折り曲げと最終折り曲げだけであり、ＦＦＣ４の折り目は、第１折り曲げにおける折り目４１と最終折り曲げにおける折り目４３だけとなっている。ＦＦＣ４は、このように折り曲げられていてもよい。
【００４４】
図６（ａ）（ｂ）は、ＦＦＣ４のさらに別の折り曲げ構造を示す。なお、図６（ａ）はＦＦＣ４を折り曲げた状態を示しており、図６（ｂ）はＦＦＣ４を展開した状態を示している。
【００４５】
図６（ａ）（ｂ）に示すＦＦＣ４は、上記実施形態と同様に、一端側の延びている方向に対して直角方向に他端側が延びた状態で、一端側が中継基板２の接続部２１に接続されると共に他端側がメイン基板３のコネクタ３１に接続され得るように、折り曲げられている。また、上記実施形態と同様に、最終折り曲げにおける折り目４３の全体が、第１部分５１における他端側接続点に近い方の側縁５１ａよりも、他端側接続点から離れた位置にあるように、折り曲げられている。
【００４６】
但し、図６（ａ）（ｂ）に示すＦＦＣ４は、折り曲げ方が上記実施形態と異なっている。すなわち、図６（ａ）（ｂ）に示すＦＦＣ４は、第１折り曲げにおける折り目４１、第２折り曲げにおける折り目４２、及び最終折り曲げにおける折り目４３が上記実施形態と異なっており、第１部分５１に対する中間部分５２−１の折り曲げ角度、中間部分５２−１に対する中間部分５２−２の折り曲げ角度、及び中間部分５２−２に対する最終部分５３の折り曲げ角度が上記実施形態と異なっている。ＦＦＣ４は、このように折り曲げられていてもよい。
【００４７】
図７（ａ）（ｂ）は、ＦＦＣ４のさらに別の折り曲げ構造を示す。図７（ａ）（ｂ）に示すＦＦＣ４は、上記実施形態と異なり、一端側の延びている方向に対して直角より小さい角度方向に他端側が延びた状態で、中継基板２及びメイン基板３に接続される構成において適用されるものである。なお、図７（ａ）はＦＦＣ４を折り曲げた状態を示しており、図７（ｂ）はＦＦＣ４を展開した状態を示している。
【００４８】
図７（ａ）（ｂ）に示すＦＦＣ４は、一端側の延びている方向に対して直角より小さい角度方向に他端側が延びた状態で、中継基板２及びメイン基板３に接続され得るように、途中で３回折り曲げられている。また、ＦＦＣ４は、最終折り曲げにおける折り目４３の全体が、第１部分５１における他端側接続点に近い方の側縁５１ａよりも、他端側接続点から離れた位置にあり、しかも、最終折り曲げにおける折り目４３が、最終部分５３の延びている方向と垂直であるように、折り曲げられている。一端側の延びている方向に対して直角より小さい角度方向に他端側が延びた状態で、ＦＦＣ４が中継基板２及びメイン基板３に接続される構成においては、ＦＦＣ４は、このように折り曲げればよい。
【００４９】
図８（ａ）（ｂ）は、ＦＦＣ４のさらに別の折り曲げ構造を示す。図８（ａ）（ｂ）に示すＦＦＣ４は、上記実施形態と異なり、一端側の延びている方向に対して方向より大きい角度方向に他端側が延びた状態で、中継基板２及びメイン基板３に接続される構成において適用されるものである。なお、図８（ａ）はＦＦＣ４を折り曲げた状態を示しており、図８（ｂ）はＦＦＣ４を展開した状態を示している。
【００５０】
図８（ａ）（ｂ）に示すＦＦＣ４は、一端側の延びている方向に対して方向より大きい角度方向に他端側が延びた状態で、中継基板２及びメイン基板３に接続され得るように、途中で３回折り曲げられている。また、ＦＦＣ４は、最終折り曲げにおける折り目４３の全体が、第１部分５１における他端側接続点に近い方の側縁５１ａよりも、他端側接続点から離れた位置にあり、しかも、最終折り曲げにおける折り目４３が、最終部分５３の延びている方向と垂直であるように、折り曲げられている。一端側の延びている方向に対して直角より大きい角度方向に他端側が延びた状態で、ＦＦＣ４が中継基板２及びメイン基板３に接続される構成においては、ＦＦＣ４は、このように折り曲げればよい。
【００５１】
なお、本発明は、上記実施形態の構成に限られず、種々の変形が可能である。例えば、ＦＦＣは、４回以上折り曲げられていてもよい。また、ＦＦＣの他端側は、メイン基板の中継基板側の面に接続されていてもよく、また、メイン基板に垂直に接続されていてもよい。また、ＦＦＣの最終折り曲げ以外の全ての折り曲げによって折り重なった部分を両面テープで接着してもよい。また、本発明は、光ディスク読取装置に限られず、段違いに配置された中継基板とメイン基板とがＦＦＣにより接続された構成の電子機器であれば、どのような電子機器にも適用可能である。
【符号の説明】
【００５２】
１    光ディスク読取装置（電気機器装置）
１ａ    光ディスク
２    中継基板（第１の回路基板）
３    メイン基板（第２の回路基板
４    ＦＦＣ（フレキシブルフラットケーブル）
５    シャーシ
５ａ    開口
６    ディスク駆動ユニット
２１    接続部
２２    ＬＥＤ
２２ａ    ＬＥＤの端子
２３    ＰＤ
２３ａ  ＰＤの端子
２４    ローディングモータ
２５    リード線
２６    ランド
３１    コネクタ
４１、４２、４３    ＦＦＣの折り目
５１    ＦＦＣの第１部分
５１ａ、５１ｂ    第１部分の側縁
５２、５２−１、５２−２    ＦＦＣの中間部分
５３    ＦＦＣの最終部分
５３ａ、５３ｂ    最終部分の側縁
６０    両面テープ
【図１】
2011086322.tif 000003
【図２】
2011086322.tif 000004
【図３】
2011086322.tif 000005
【図４】
2011086322.tif 000006
【図５】
2011086322.tif 000007
【図６】
2011086322.tif 000008
【図７】
2011086322.tif 000009
【図８】
2011086322.tif 000010
【図９】
2011086322.tif 000011
【図１０】
2011086322.tif 000012